(57)【特許請求の範囲】
【請求項１】
ひげ（３）を具備した針（１）並びに該針に少なくとも部分的に跨るとともに少なくとも１つのバット（１４）、端部（１２）および肩部（１３）を具備したスライダ（２）からなり、該スライダの頂部は前記端部および肩部を形成している末端領域において該端部が開けるように長手方向に溝が形成されており、針のひげを開閉しその肩部により編目（３１）を移動させるようにスライダが針に対して移動可能である編機用スライダタイプ複合針において、前記針（１）がスライダの突起（２２）と協働するカム形状（２４−２８）を有しており、スライダ（２）が針（１）に対して移動するときの全ての位置においてスライダ（２）を制御し且つスライダ（２）に昇降動作を行わせるように、スライダ（２）を非線形経路に沿って案内する手段（６）が前記針のカム形状（２４−２８）のみで構成されていることを特徴とする編機用スライダタイプ複合針。
【請求項２】
前記スライダ（２）の頂部はスライダのバット（１４）とスライダのほぼ真中（１７）との間が開いており（１６）、前記針が針の略中央部から針本体に略平行に前方に向けて延在するアーム（５）を具備し、該アームは前記スライダの開いた頂部（１６）を貫通してスライダの頂部が除去されていない堅い部分（２９）まで延びていて、針の本体とともに、その中をスライダが案内される二股部（６）を形成するようになっていることを特徴とする請求項１に記載の複合針。
【請求項３】
前記二股部（６）の内寸法およびスライダの堅い部分（２９）の底部および後部が前記スライダの非線形昇降動作を生じるカムの形状をしていることを特徴とする請求項２に記載の複合針。
【請求項４】
前記針（１）が両側面に窪み（３０）を有しており、該窪みは前記スライダの端部（１２）が針の上縁より下方に降下したときに、針によるスライダの端部（１２）の開度を減少させるようになっていることを特徴とする請求項３に記載の複合針。
【請求項５】
前記針のカム形状（２４−２８）により、スライダが針（１）に対してその最大限に引込められたときに、スライダの端部（１２）が針の上縁より下方とされており、これにより編目が編目移しの準備位置にある針により支持されることを特徴とする請求項１〜３の何れか1項に記載の複合針。
【請求項６】
前記針のカム形状（２４−２８）およびこれと協働するスライダの突起（２２）により、前記スライダ（２）が最大引込み位置から編目を取って前方に移動する際に、スライダが先ず第１に編目をその肩部に担持するよう上昇し、次いで針のひげが閉じる位置まで再び下降し、次いでひげが編目に糸を捕捉しないように再び僅かに上昇し、そして最後に、編目の張力を減少するよう再び下降するように、スライダが案内されることを特徴とする請求項５に記載の複合針。
【請求項７】
前記スライダ（２）は、スライダの偶発的な揺動を防止し、および／または、スライダの後部を針に対して垂直面内で移動させるために、針の本体（３５，３６）と協働する少なくとも１つの支持点（３３、３４）をその後部に具備していることを特徴とする請求項１〜６の何れか１項に記載の複合針。
【請求項８】
前記支持点（３３、３４）が当接する前記針の本体の面（３５、３６）の少なくとも１つがカム形状をしていることを特徴とする請求項７に記載の複合針。
【発明の詳細な説明】
【０００１】
【発明の属する技術分野】
本発明は、編機用スライダタイプ複合針に関する。より詳しくは、本発明はひげを具備した針並びに針に少なくとも部分的に跨るとともに少なくとも１つのバット、端部および肩部を具備したスライダからなり、スライダの頂部は端部および肩部を形成している末端領域において、針により、または対向する針により、または対向するスライダにより、端部が開けるように長手方向に溝が形成されており、針のひげを開閉しその肩部により編目を移動させるようにスライダが針に対して移動可能である編機用スライダタイプ複合針に関する。
【０００２】
【従来の技術】
このような針は本願出願人の出願に係るヨーロッパ特許出願公開第０８８１３１５号明細書（日本国特許第３１９００２０号公報参照）に記載されている。この文献に記載されている実施例においては、スライダの頂部（すなわち、逆Ｕ字形の頂部）と針の上縁がともに直線状であり針の進行方向に平行している。従って、このスライダの移動もまた直線状でありそして針の移動方向に平行している。この構造によって、スライダに対して針は編目移し準備位置に到達したときに、編目移しされるべき編目はスライダの頂部の高さと同じになるまで針の上に載り上がる。これは編目に上方向の張力を掛けることになり、そして網目を広げることとなる。このような効果は編目を針のひげを越えて編目移しを行いつつスライダが進むときに更に増大され、そしてスライダの端部および肩部は針のひげを大きく通過する。従って編むことができる編目の細かさは制限を受ける。
【０００３】
より早い時期の従来の複合針、すなわち、針ひげを具備したスライダタイプの針であって、ひげを開閉する摺動路を受けるものにあっては、フランス特許第２６５２５９３号明細書において、摺動路を針のスロットの頂部に対して昇降させて針に担持されている編目に作用する摩擦や張力を減少しそしてより一様な編目を得ようとすることが提案されている。これらの手段は、一方において針のスロットの頂部で担持する効果を持つとともに、他方において針を押さえるロッドによって奏されるレバー効果からなっている。しかしながら摺動路の端部の通路は針の一般的設計によるため充分にタイトにコントロールされておらず、摺動路は針のひげを越えることができず、僅かに下降位置と上昇位置との間において摺動路の頂部に対して前後動する。
【０００４】
【発明が解決しようとする課題】
本発明の目的は、より細かくそしてより一様な編目を編むことができ、そして加えて一またはそれ以上の受取り要素への編目移しをより容易にできるようにすることである。
【０００５】
【課題を解決するための手段】
本発明においては、この目的を、ひげを具備した針並びに該針に少なくとも部分的に跨るスライダからなる複合針において、針がスライダの突起と協働するカム形状を有しており、スライダが針に対して移動するときの全ての位置においてスライダを制御し且つスライダに昇降動作を行わせるように、スライダを非線形経路に沿って案内する手段が前記針のカム形状のみで構成されていることを特徴とする編機用スライダタイプ複合針により達成する。
【０００６】
スライダを完全に制御された方法により案内することによって、これら案内手段は編目の垂直張力をできるだけ減少させる効果を生じ、それによりその拡大を減少する。従って、より細かくそして一様な編目を編むことができる。
【０００７】
本発明の好ましい実施例によれば、スライダの頂部がバットとスライダのほぼ真中の間で開いており、針が後部から針本体にほぼ平行に前方に延在するアームを具備し、アームはその開いた頂部を経てスライダを貫通しスライダの硬い部分まで延びていて、針の本体とともに、その中をスライダが案内される二股部を形成するようになっている。
【０００８】
案内をするために、二股部の内寸法並びにスライダの堅い部分の底部および後部がスライダの非線形昇降動作を生じるカムの形状をしていることが好ましい。
一つの実施例においては、スライダが、その後部に、針の本体と協働して、スライダの偶発的な揺動を防止し、および／または、スライダの後部を針に対して垂直面内で移動させる、少なくとも１つの支持点を具備している。この場合に、支持点が当接する針の本体の面の少なくとも１つがカム形状をしていることが好ましい。
【０００９】
【実施例】
以下、本発明の一実施例を例示として示す図面を参照して、本発明を詳細に説明する。添付図面において、図１はスライダタイプの複合針の側面図であり、図２は互いに分離された針とスライダを表わし、図３はスライダの前部分を拡大して示した上面図であり、図４〜図１１は、特に編目移しの場合の、スライダおよび針の位置を示す部分側面図であり、スライダが最も引込んだ位置（図４）から最も前進した位置（図１１）までの間における針に対するスライダの関係を時系列的に示している。図１２はスライダの長手方向断面図であり、図１３はスライダの拡大断面図であり、（ａ）は図１２のＡ−Ａ断面、（ｂ）は図１２のＢ−Ｂ断面である。
【００１０】
針およびスライダの形状を先ず図１から図３を参照して説明する。複合針は針１およびスライダ２から構成されており、スライダ２は上述したヨーロッパ特許出願公開第０８８１３１５号明細書（日本国特許第３１９００２０号公報参照）の複合スライダタイプの編針におけるスライダと同じような方法によって針１に跨がっている。この目的のために、スライダ２は逆Ｕ字形の輪郭を有しているが、以下に明らかになるような理由によって、その長さの一部においてのみ上記形状である。
【００１１】
針１は、公知の方法に従って、ひげ３を具備している。上述した実施例において針１はカムキャリジのカムにより駆動するためのバット４を具備している。しかしながら、針を駆動ボルトによって駆動してもよい。その略中央部において針はアーム５を具備しており、アーム５は前方に向けて針本体の上方を針の長手方向軸線に平行に延在している、すなわち、針床におけるこの針の移動方向に延びている。針１およびアーム５は二股部６を形成しており、二股部６の内壁７、８は非線形輪郭を具備しておりカムを形成している。カム形状の面７は二股部６を越えて延在しており、そこには凹部９が形成され、その凹部９に続いて前方に上昇した斜面１０が設けられている。この上昇した斜面１０の前方には、公知のように、針が下向きの斜面１１において、ひげ３まで先細りになっている。
【００１２】
スライダ２は、その前部に、肩部１３の前に位置する端部１２を有し、そしてその後部にはその駆動用のバット１４を具備している。スライダ２の頂部は２箇所において除去されている。すなわち、一方は肩部１３の僅かに後方に位置した点１５の前方であり、そして他方はバット１４とスライダに沿って略真中に位置する点１７との間の後半分１６である（図１２、図１３参照）。
【００１３】
上から見たときのスライダの末端部が図３に示されている。スライダのこの部分はＵ字形輪郭ではなく、スロット１８が形成されており、スロット１８はスライダの前端（図３の左端）において端部１２を形成しており、この端部の端においてスロット１８の両側部は合わさっている。スロット１８の２つの側部は弾性的に押し広げることができる。
【００１４】
図１３（ａ）に示すように、スライダの頂部の除去部１６は針の厚さに対応する幅の開口を形成している。針のアーム５がその開口を通過し、アーム５はスライダ本体の上方、すなわち、スライダの頂部が除去されていないスライダの領域２９の上方に延在する。領域２９は堅く、外側にはその前方部においてノーズ２０に繋る斜面１９を有しており、後部には小さな突起２１を具備している。領域２９のスライダの頂部は内側には、第１の突起２２をその前方部に有し、そして第２の突起２３を後方部に有している。これらの突起の間ではスライダの頂部は浅い凹みを有している。
【００１５】
後部において、バット１４の箇所にスライダ２は２つの支持点３３、３４を有しており、これら支持点３３、３４はそれぞれ針の上面３５および下面３６と協働してスライダの偶発的な揺動を防止する。これらの支持点は更に針に対するスライダの付加的な運動を生じさせることに使用することもでき、例えばカムキャリジのカムに対してバット１４を引込めたり、その端部１２に細かくそして正確な動きをさせるようにすることもできる。この場合に、針本体の面３５、３６の少なくとも１つは非線形であり、すなわちカムを形成している。支持点３３はスライダのバットの底部において、例えばスライダの壁面の材料を膨らませて、突起を形成して構成している。
【００１６】
針の二股部６の内側形状に関して言えば、これは、アーム５の端部から始まる解放斜面３２を具備しており、この解放斜面３２に引続いて突起２４があり、突起に続いて浅い凹みおよび第２の明確でない突起２５が続いており、そして針本体には凹み９と凹み２８で終わる斜面２７との間に一定高さの高い部分２６がある。
【００１７】
図１に見られるように、針が組立てられるとスライダの領域２９は針の二股部の中にあり、これによってスライダが移動するにつれてスライダを非線形に案内する。図１において、スライダは針上の最も後退した位置で示されている。この位置において、針のアーム５の突起２４はスライダのノーズ２０に当接しており、これはスライダを針に対して最小高さの下降位置に位置決めする効果を有している。この位置において、端部１２の２つの側面は針によって開かれており、そして端部１２およびこの端部の後に位置する凹部は全ての点において針の上縁より下方に位置している。
【００１８】
針上におけるスライダの完全な動きを、以下、図４〜図１１を参照して説明する。これらの図は、図１に示している位置（図４に示されている位置と同じである）から始まる８つの連続する位置における、スライダと針の関係を示している。図示された手順は編目移しを表わすものである。
【００１９】
図４に示される位置において、スライダ２はノーズ２０および突起２２により二股部６内に位置決めされている。スライダの端部１２は針１の上縁よりも下方に位置しており、端部１２は開かれている。端部１２の２つの側面は窪み３０の箇所で針の側面に載っており、２つの窪みは針の厚さ、従って端部１２の開口を減少し、それによりスライダの幅を過度に大きくしない。編目移しされるべき編目３１は針１に担持され、それによって片持ち状態で支持されているスライダに何ら圧力を作用させず、そしてスライダが減速することを防止する。端部１２はこの時点に針の下方縁に対して、すなわち針が摺動する針床の針溝の底部に対して高さＨ１にある。この高さＨ１はスライダの経路における端部１２の最小高さである。
【００２０】
スライダ２が進むにつれて、その突起２２は針の斜面２７を上り高い部分２６（図５参照）に達する。トップに向けてスライダは保持されそして針のアーム５の突起２４によって案内される。スライダのこの上昇はスライダの端部１２の後ろの凹みが針のレベルより僅かに高くなるのに充分である。このスライダの上昇の間に、端部１２は再び閉じそして編目３１はスライダの肩部１３に沿って支持される。スライダの端部１２が到達した高さＨ２はスライダがその動きの間に達成する針に対する最も高いレベルである。
【００２１】
スライダはその前進を続け、針の一定高さのトップ部分２６に載り、すなわち、図６に示すように高さＨ２を維持する。
【００２２】
スライダの突起２２は次いで針のトップ部分２６を離れ、それによりスライダの端部１２は針のひげ３に向かって図７に示すように下降する。
【００２３】
下降を継続して、図８に示すように、スライダ２は針のひげ３をその端部１２によって覆う。この動きは従来のラッチ針のラッチによる閉じ動作に対応している。
【００２４】
スライダが動き続けて、その突起２２は針の斜面１０に達し、それによりスライダ２とその端部１２は上昇運動を開始し（図９）、この運動は端部１２がレベルＨ４（図１０）に達するまで続く。この上昇運動は針のひげ３がスライダに存在する編目３１の糸を捕捉しないようにしている。
【００２５】
一度ひげ３が通過すると、スライダの突起２２は針の斜面１１に沿って下降しそしてそれを離れ、一方、突起２３は針のトップ部分２６の上に行き、そして端部１２は低いレベルＨ５に達し、このレベルをその移動の間維持する。この下降によって張力を受けている編目３１が変形することを回避する（図１１）。
【００２６】
図１１に示す位置において、編目３１は対向する針（編目移し時）により、またはスライダ（隣接する針間の編目移し時）によりヨーロッパ特許出願公開第０８８１３１５号明細書（日本国特許第３１９００２０号公報参照）に記載されているように捕捉され、すなわち、この針またはスライダを端部１２に導入する。実施例の変形として、スライダは針に完全に跨がりそして２つまたはそれ以上のバットを具備することもできる。スライダは、その後部に、単一の支持点、例えば支持点３４（図２）を具備することもできる。
【００２７】
【発明の効果】
本発明によれば、編機において、より細かくそしてより一様な編目を編むことができ、そして加えて一またはそれ以上の受取り要素への編目移しをより容易にできる。
【図面の簡単な説明】
【図１】本発明に係るスライダタイプの複合針の一実施例の側面図である。
【図２】図１に示す実施例において互いに分離された針とスライダを表わす分解図である。
【図３】図１に示す実施例においてスライダの前方部の前部分を拡大して示した上面図である。
【図４】スライダが編目移し準備位置にあるときの、針およびスライダの一部を示す側面図である。
【図５】スライダが図４の位置から少し前進した状態の、針およびスライダを示す側面図である。
【図６】スライダが図５の位置から少し前進した状態の、針およびスライダを示す側面図である。
【図７】スライダが図６の位置から少し前進した状態の、針およびスライダを示す側面図である。
【図８】スライダが図７の位置から少し前進した状態の、針およびスライダを示す側面図である。
【図９】スライダが図８の位置から少し前進した状態の、針およびスライダを示す側面図である。
【図１０】スライダが図９の位置から少し前進した状態の、針およびスライダを示す側面図である。
【図１１】スライダが図１０の位置から少し前進した状態の、針およびスライダを示す側面図である。
【図１２】スライダの長手方向断面図であり、
【図１３】スライダの拡大断面図であり、（ａ）は図１２のＡ−Ａ断面、（ｂ）は図１２のＢ−Ｂ断面である。
【符号の説明】
１  針
２  スライダ
３  ひげ
５  アーム
６  二股部
１２  端部
１３  肩部
１４  バット
２９  堅い部分
３０  窪み
【図１】
0004121286.tif 000002
【図２】
0004121286.tif 000003
【図３】
0004121286.tif 000004
【図４】
0004121286.tif 000005
【図５】
0004121286.tif 000006
【図６】
0004121286.tif 000007
【図７】
0004121286.tif 000008
【図８】
0004121286.tif 000009
【図９】
0004121286.tif 000010
【図１０】
0004121286.tif 000011
【図１１】
0004121286.tif 000012
【図１２】
0004121286.tif 000013
【図１３】
0004121286.tif 000014